(57)【要約】【課題】  直管形蛍光ランプ用の照明器具への誤装着が起こりにくい直管形ＬＥＤランプとそれに使用するソケット、及び直管形ＬＥＤランプ用照明器具を提供することを目的とする。【解決手段】  直管形ＬＥＤランプの口金内部に設けた磁石と、ソケット内部に設けたリードスイッチを備える。直管形ＬＥＤカバーに設けた凹部と、器具本体に設けたプッシュスイッチを備える。直管形ＬＥＤランプの口金に設けたＧ１３形口金で規定されている一対の口金ピン間の間隔よりも狭い間隔の一対の口金ピンと、ソケット内に回転自在に設けられた回転子を備える。【選択図】図１
2014099329.tif 000002
【特許請求の範囲】
【請求項１】
両端部にソケットと装着する口金を有し、光源であるＬＥＤを実装したＬＥＤ基板を内部に収納した直管形ＬＥＤランプであって、
前記直管形ＬＥＤランプの少なくとも一方の口金に、前記ソケットに有する給電スイッチ手段を作動させるための磁性体を取り付けたことを特徴とする直管形ＬＥＤランプ。
【請求項２】
前記磁性体は、前記口金内部の前記給電スイッチ手段と対応した位置に取り付けられていることを特徴とする請求項１に記載の直管形ＬＥＤランプ。
【請求項３】
請求項１又は請求項２に記載の直管形ＬＥＤランプを装着するための一対のソケットを備えた照明器具であって、
前記ソケットの少なくとも一方を給電用ソケットとし、該給電用ソケットに、磁力に反応して前記直管形ＬＥＤランプへの給電をオンオフする給電スイッチ手段を設けたことを特徴とする照明器具。
【請求項４】
前記給電スイッチ手段は、前記直管形ＬＥＤランプを前記ソケットに装着したとき、前記直管形ＬＥＤランプ口金に設けられた磁性体の磁力に反応して該直管形ＬＥＤランプへの給電をオンにするものであることを特徴とする請求項３に記載の照明器具。
【請求項５】
前記一対のソケットは、前記直管形ＬＥＤランプを所定角度回転することにより、該直管形ＬＥＤランプが前記ソケットと着脱可能となっていることを特徴とする請求項３〜４のいずれかに記載の照明器具。
【請求項６】
前記給電用ソケットは、前記直管形ＬＥＤランプを所定角度回転することにより、前記磁性体と前記給電スイッチ手段が近接し、前記磁性体の磁力によって前記給電スイッチ手段がオンとなり、前記直管形ＬＥＤランプを逆方向に所定角度回転することで給電スイッチ手段がオフとなることを特徴とする請求項３〜５のいずれかに記載の照明器具。
【請求項７】
前記給電スイッチ手段は、リードスイッチであることを特徴とする請求項３〜６のいずれかに記載の照明器具。
【請求項８】
両端部にソケットと装着する口金を有し、光源であるＬＥＤを実装したＬＥＤ基板を内部に収納した直管形ＬＥＤランプであって、
前記直管形ＬＥＤランプの外面部に、該直管形ＬＥＤランプの近傍に設けられた給電スイッチ手段の作動レバーが挿入する凹部を設けたことを特徴とする直管形ＬＥＤランプ。
【請求項９】
前記凹部は、直管形ＬＥＤランプのカバーに形成されていることを特徴とする請求項８に記載の直管形ＬＥＤランプ。
【請求項１０】
請求項８又は請求項９に記載の直管形ＬＥＤランプを装着するための一対のソケットを備えた照明器具であって、
前記照明器具の上面部に、作動レバーが前記直管形ＬＥＤランプの凹部に挿脱して前記直管形ＬＥＤランプへの給電をオンオフさせる給電スイッチ手段を設けたことを特徴とする照明器具。
【請求項１１】
前記給電スイッチ手段は、請求項８又は請求項９に記載の直管形ＬＥＤランプを前記ソケットに装着したとき、該直管形ＬＥＤランプに設けられた凹部に前記作動レバーが挿入して該直管形ＬＥＤランプへの給電をオンにし、規格外の直管形ＬＥＤランプが前記ソケットに装着されたとき、該直管形ＬＥＤランプの外面部に前記作動レバーと干渉して該直管形ＬＥＤランプへの給電をオフにするものであることを特徴とする請求項１０に記載の照明器具。
【請求項１２】
前記給電スイッチは、プッシュスイッチであることを特徴とする請求項１０〜１１のいずれかに記載の照明器具。
【請求項１３】
両端部にソケットと装着する口金を有し、光源であるＬＥＤを実装したＬＥＤ基板を内部に収納した直管形ＬＥＤランプであって、
前記直管形ＬＥＤランプ口金に突設される一対の口金ピンの間隔を、直管形蛍光ランプの規格幅よりも狭くしたことを特徴とする直管形ＬＥＤランプ。
【請求項１４】
請求項１３に記載の直管形ＬＥＤランプを装着するための一対のソケットを備えた照明器具であって、
少なくとも一方のソケットは、前記直管形ＬＥＤランプの一対の口金ピンのみを保持可能な回転子と、該回転子と接触する給電接触子を備えていることを特徴とする照明器具。
【請求項１５】
前記回転子は、円盤部と円筒部を有しており、前記円盤部は、前記直管形ＬＥＤランプの一対の口金ピンのみが挿通可能な案内溝が形成されており、前記円筒部に前記口金ピンを係入する溝部が形成されていることを特徴とする請求項１４に記載の照明器具。
【請求項１６】
前記給電接触子は、前記回転子の円筒部を挟持するように配置されており、回転子が所定角度回転することで前記口金ピンと前記給電接触子が接触するように構成されていることを特徴とする請求項１５に記載の照明器具。
【発明の詳細な説明】
【技術分野】
【０００１】
本発明は、直管形ＬＥＤランプと、その直管形ＬＥＤランプを装着する照明器具に関するものである。
【背景技術】
【０００２】
従来より、直管形蛍光ランプはＧ１３形口金やＲ１７ｄ形口金を両端に有するものが使われ、同時に直管形蛍光ランプを使用する照明器具はＧ１３形口金に対応したソケットが配置される。一方、既設の照明器具に、直管形蛍光ランプの代わりに使用可能な光源として、低消費電力で長寿命である直管形ＬＥＤランプがある。直管形ＬＥＤランプは、直管形蛍光ランプと外形寸法が同じで、両側にＧ１３形口金やＲ１７ｄ形口金が設けられているため、既設の照明器具に配置されたソケットに装着が可能であった。
【０００３】
しかしながら、直管形ＬＥＤランプは電源回路を内蔵し、既設の照明器具の直管形蛍光ランプ用の点灯回路でそのまま点灯可能なものもあるが（たとえば特許文献１）、直管形蛍光ランプ用の点灯回路では点灯できず、直管形ＬＥＤランプ用の点灯回路と交換の必要があるものもある。そのため、直管形蛍光ランプを用いる既設の照明器具で、専用の点灯回路を必要とする直管形ＬＥＤランプを使用できるように改造する場合、点灯回路をＬＥＤランプ用のものと交換するなどの改造工事が必要であった。
【先行技術文献】
【特許文献】
【０００４】
【特許文献１】特開２００４−３３５４２６号公報
【発明の概要】
【発明が解決しようとする課題】
【０００５】
上述のように直管形蛍光ランプと、その代替光源である直管形ＬＥＤランプが同じ口金を使用している場合、直管形蛍光ランプ用の照明器具を直管形ＬＥＤランプ用に改造した後でも、再び直管形蛍光ランプが装着されたり、他メーカーのＬＥＤランプが装着される可能性がある。また、直管形蛍光ランプ用の点灯回路を備えた照明器具に、蛍光ランプ用の点灯回路では点灯できない直管形ＬＥＤランプが、誤って接続される可能性もあった。
【０００６】
本発明は上記課題に鑑みて為されたものであり、直管形蛍光ランプ用の照明器具への誤装着を防止できる直管形ＬＥＤランプと、それを装着するための照明器具を提供することを目的とする。
【課題を解決するための手段】
【０００７】
請求項１に記載の発明にあたっては、両端部にソケットと装着する口金を有し、光源であるＬＥＤを実装したＬＥＤ基板を内部に収納した直管形ＬＥＤランプであって、
前記直管形ＬＥＤランプの少なくとも一方の口金に、前記ソケットに有する給電スイッチ手段を作動させるための磁性体を取り付けたことを特徴とするものである。
【０００８】
請求項２に記載の発明にあたっては、請求項１の発明において、前記磁性体は、前記口金内部の前記給電スイッチ手段と対応した位置に取り付けられていることを特徴とするものである。
【０００９】
請求項３に記載の発明にあたっては、請求項１又は請求項２の発明において、前記ソケットの少なくとも一方を給電用ソケットとし、該給電用ソケットに、磁力に反応して前記直管形ＬＥＤランプへの給電をオンオフする給電スイッチ手段を設けたことを特徴とするものである。
【００１０】
請求項４に記載の発明にあたっては、請求項３の発明において、前記給電スイッチ手段は、前記直管形ＬＥＤランプを前記ソケットに装着したとき、前記直管形ＬＥＤランプ口金に設けられた磁性体の磁力に反応して該直管形ＬＥＤランプへの給電をオンにするものであることを特徴とするものである。
【００１１】
請求項５に記載の発明にあたっては、請求項３から４の発明において、前記一対のソケットは、前記直管形ＬＥＤランプを所定角度回転することにより、該直管形ＬＥＤランプが前記ソケットと着脱可能となっていることを特徴とするものである。
【００１２】
請求項６に記載の発明にあたっては、請求項３から５のいずれかの発明において、前記給電用ソケットは、前記直管形ＬＥＤランプを所定角度回転することにより、前記磁性体と前記給電スイッチ手段が近接し、前記磁性体の磁力によって前記給電スイッチ手段がオンとなり、前記直管形ＬＥＤランプを逆方向に所定角度回転することで給電スイッチ手段がオフとなることを特徴とするものである。
【００１３】
請求項７に記載の発明にあたっては、請求項３から６のいずれかの発明において、前記給電スイッチ手段は、リードスイッチであることを特徴とするものである。
【００１４】
請求項８に記載の発明にあたっては、両端部にソケットと装着する口金を有し、光源であるＬＥＤを実装したＬＥＤ基板を内部に収納した直管形ＬＥＤランプであって、前記直管形ＬＥＤランプの外面部に、該直管形ＬＥＤランプの近傍に設けられた給電スイッチ手段の作動レバーが挿入する凹部を設けたことを特徴とするものである。
【００１５】
請求項９に記載の発明にあたっては、請求項８の発明において、前記凹部は、直管形ＬＥＤランプのカバーに形成されていることを特徴とするものである。
【００１６】
請求項１０に記載の発明にあたっては、請求項８又は請求項９において、前記照明器具の上面部に、作動レバーが前記直管形ＬＥＤランプの凹部に挿脱して前記直管形ＬＥＤランプへの給電をオンオフさせる給電スイッチ手段を設けたことを特徴とするものである。
【００１７】
請求項１１に記載の発明にあたっては、前記給電スイッチ手段は、請求項８又は請求項９に記載の直管形ＬＥＤランプを前記ソケットに装着したとき、該直管形ＬＥＤランプに設けられた凹部に前記作動レバーが挿入して該直管形ＬＥＤランプへの給電をオンにし、規格外の直管形ＬＥＤランプが前記ソケットに装着されたとき、該直管形ＬＥＤランプの外面部に前記作動レバーと干渉して該直管形ＬＥＤランプへの給電をオフにするものであることを特徴とするものである。
【００１８】
請求項１２に記載の発明にあたっては、請求項１０〜１１のいずれかの発明において、前記給電スイッチは、プッシュスイッチであることを特徴とするものである。
【００１９】
請求項１３に記載の発明にあたっては、両端部にソケットと装着する口金を有し、光源であるＬＥＤを実装したＬＥＤ基板を内部に収納した直管形ＬＥＤランプであって、前記直管形ＬＥＤランプ口金に突設される一対の口金ピンの間隔を、直管形蛍光ランプの規格幅よりも狭くしたことを特徴とするものである。
【００２０】
請求項１４に記載の発明にあたっては、請求項１３の発明において、直管形ＬＥＤランプを装着するための一対のソケットを備えた照明器具であって、少なくとも一方のソケットは、前記直管形ＬＥＤランプの一対の口金ピンのみを保持可能な回転子と、該回転子と接触する給電接触子を備えていることを特徴とするものである。
【００２１】
請求項１５に記載の発明にあたっては、請求項１４の発明において、前記回転子は、円盤部と円筒部を有しており、前記円盤部は、前記直管形ＬＥＤランプの一対の口金ピンのみが挿通可能な案内溝が形成されており、前記円筒部に前記口金ピンを係入する溝部が形成されていることを特徴とするものである。
【００２２】
請求項１６に記載の発明にあたっては、請求項１５の発明において、前記給電接触子は、前記回転子の円筒部を挟持するように配置されており、回転子が所定角度回転することで前記口金ピンと前記給電接触子が接触するように構成されていることを特徴とするものである。
【発明の効果】
【００２３】
本発明によれば、それぞれの実施形態に示される通り、直管形ＬＥＤランプの互換性がないため、従来の蛍光灯に使用されてきたＧ１３形口金やＲ１７ｄ形口金等を有する通常の直管形ＬＥＤランプを、ソケット内部にリードスイッチを設けた照明器具に装着、あるいは器具本体にプッシュスイッチを設けた照明器具に装着しても、当該ＬＥＤランプに電力が供給されず点灯することがなく、ＬＥＤ素子の損傷も発生しない。また、Ｇ１３形口金で規定されている一対の口金ピン間の間隔より狭い間隔で一対の口金ピンを突設することによって、通常のＧ１３形口金の直管形ＬＥＤランプを装着することができない。したがって、本発明の照明器具には、それぞれ専用の直管形ＬＥＤランプが点灯可能、もしくは装着、点灯可能であり、これ以外のＬＥＤランプや、従来の蛍光灯は点灯させることはできず、誤ってＧ１３形口金の直管形ＬＥＤランプが使用されるのを防止することが期待できる。
【図面の簡単な説明】
【００２４】
【図１】本発明の実施形態１の配線図である。
【図２】同上の直管形ＬＥＤランプ及びソケットの外観斜視図である。
【図３】同上の直管形ＬＥＤランプに用いる給電用のソケットを示し、（ａ）は正面図、（ｂ）は同図記載のＡ−Ａ’の線断面図、（ｃ）は背面板を外しての背面図、（ｄ）は外観斜視図である。
【図４】同上の直管形ＬＥＤランプに用いる給電用のソケットの部品構成図である。
【図５】同上の直管形ＬＥＤランプの給電側の口金の部品構成図である。
【図６】同上の給電用ソケットに給電側の口金を嵌合させるときの動作を説明する図であり、（ａ）は嵌合前の外観斜視図、（ｂ）は同図記載のＢ−Ｂ’の線断面図、（ｃ）は装着開始時の状態を説明する断面図、（ｄ）は装着完了時の状態を説明する断面図である。
【図７】同上の直管形ＬＥＤランプの他方の給電用のソケットを示し、（ａ）は正面図、（ｂ）は上面図、（ｃ）は右側面図、（ｄ）は外観斜視図である。
【図８】本発明の実施形態２の説明図であり、（ａ）は配線図、（ｂ）は本発明の照明器具に直管形ＬＥＤランプを装着していない状態、（ｃ）は本発明の照明器具に適合しない直管形ＬＥＤランプを装着した状態、（ｄ）は本発明の照明器具に本発明の直管形ＬＥＤランプを装着した状態を示している。
【図９】同上の照明器具と直管形ＬＥＤランプの部品構成図である。
【図１０】同上の照明器具と直管形ＬＥＤランプの外観斜視図であり、(ａ)は直管形ＬＥＤランプを照明器具へ装着をする直前の外観斜視図、（ｂ）は直管形ＬＥＤランプを照明器具へ装着完了時の外観斜視図、（ｃ）は同図記載のＣ−Ｃ’の線断面図、（ｄ）は同図記載のＤ部拡大図である。
【図１１】本発明の実施形態３の直管形ＬＥＤランプ及びソケットの外観斜視図である。
【図１２】同上の直管形ＬＥＤランプ及びソケットの外観斜視図であり、（ａ）（ｂ）は同直管形ＬＥＤランプの長さ方向の一方向及び他方向から見た状態をそれぞれ示している。
【図１３】同上の直管形ＬＥＤランプに用いるソケットの部品構成図である。
【図１４】同上の直管形ＬＥＤランプに用いるソケットを示し、（ａ）は正面図、（ｂ）は同図記載のＥ−Ｅ’の線断面図、（ｃ）は背面板を外しての背面図、（ｄ）は外観斜視図である。
【図１５】同上のソケットに口金を嵌合させるときの動作を説明する図であり、（ａ）は嵌合前の図１２記載のＦ−Ｆ’の線断面図、（ｂ）は嵌合後の図１２記載のＦ−Ｆ’の線断面図、（ｃ）はＧ１３形口金の口金ピンを挿入させた状態の正面図である。
【発明を実施するための形態】
【００２５】
以下に、本発明に係る直管形ＬＥＤランプ及びこのＬＥＤランプが装着されるソケットの実施形態を図面に基づいて説明する。
【００２６】
（実施形態１）
図１は実施形態１の配線図であり、両側のソケットから給電を行う両側給電方式である。給電用ソケット４の内部にリードスイッチ４３を備え、直管形ＬＥＤランプ１の口金１２の内部に磁石１４（磁性体）を備えている。カバー１１の内部に収納されるＬＥＤ基板は、複数のＬＥＤを実装し直管形ＬＥＤランプの光源を形成している。リードスイッチ４３は、磁石１４が近接すると磁石１４から発生する磁力によって、リードスイッチ４３内部の離して設けられた一対の端子舌片が接触し通電可能な状態となり、口金ピン１２ａまたは１３ａを介して交流電源から電源基板へ電力を供給し、電源基板はＬＥＤ基板へ電力を供給し光源であるＬＥＤが点灯する。
【００２７】
図２に直管形ＬＥＤランプ１の外観斜視図を示す。該直管形ＬＥＤランプ１は、透光性を有する合成樹脂材料により直管状に形成されたカバー１１を備えている。カバー１１の軸方向一端側には給電用口金１２が設けられ、カバー１１の軸方向他端側には給電用口金１３が設けられている。給電用口金１２側には給電用ソケット４が配置され、給電用口金１３側には他の給電用ソケット８が配置されている。本発明では、一方の給電用ソケット４から給電し、他方の給電用ソケット８を単なる口金保持ソケットとした給電タイプのものであってもよい。
【００２８】
給電用ソケット４は、図３に示すように給電用ソケット本体４１と、給電用ソケット本体４１内に収納された給電用接触子４２と、リードスイッチ４３を備えている。なお、給電用ソケット４の説明では、図３（ａ）に示す向きにおいて上下左右の方向を規定し、図３（ｂ）の左側を前方、右側を後方として説明を行う。
【００２９】
給電用ソケット４は、本体４１の内部に収納される給電用接触子４２を備えている。本体４１は絶縁性を有する合成樹脂製で形成された筐体であり、後面部は後面板４４により塞がれている。本体４１の上面から前面にかけては、直管形ＬＥＤランプ１の一対の給電用口金ピン１２ａ、１２ａが挿入される案内溝４７が形成されている。本体４１の前面には、一対の給電用口金ピン１２ａ、１２ａが回転するための円形状の軌跡よりも若干大きい略円形状の開口部４６が形成されており、案内溝４７は、この開口部４６と連通している。
【００３０】
給電用接触子４２は、弾性を有するリン青銅などの金属材料の薄板材を曲げ加工して形成され、底面部を給電用ソケット本体４１に挟持されている。
給電用接触子４２は、図４に示すように、本体４１の内壁に突設している接触子固定部４２ａに固定される中央片４２ｂと、中央片４２ｂの両側縁からそれぞれ上側に突出する保持片４２ｃ、４２ｃと、保持片４２ｃ、４２ｃの先端部からそれぞれ外側に折り曲げられた案内片４２ｄ、４２ｄを一体に備えている。ここで、各保持片４２ｃは略Ｖ字形に折り曲げられ、上下方向の中間部が両側部よりも外側方向に突出しており、給電用接触子４２は全体として逆Ｕ字形に形成されている。
【００３１】
この給電用接触子４２は案内溝４７の左右両側に保持片４２ｃ、４２ｃが配置されるように、案内片４２ｄ、４２ｄを上側、中央片４２ｂを下側にして本体４１内に収納されている。ここにおいて、給電用ソケット４と給電用接触子４２とで、給電用口金１２が装着される給電用口金受け部が構成される。
【００３２】
リードスイッチ４３は、両側から延出している端子４３ａ、４３ｂを、給電用ソケット本体４１の内壁に突設しているリードスイッチ固定部４２ａに挟持することにより本体４１内に保持されており、磁石１４の磁力に確実に反応するように給電用ソケット４内部の前方に固定されている。リードスイッチ４３の一方の端子４３ａは、給電用接触子４２の下部側面にはんだ４３ｄによって固定されている。他方の端子４３ｂは、配線部材（図示しない）により交流電源に接続される。
【００３３】
磁石１４は、図５に示すように、給電用ソケット１２の口金ピン１２ａが突設する端面側に設けた磁石固定部１４ａに、接着剤または両面テープ等の固定手段１４ｂによって固定される。
【００３４】
もう一方の給電用ソケット８は、図７に示すように給電用ソケット本体８１と給電用ソケット本体８１に回転自在に取付けられた回転子８２と、給電用ソケットの本体８１内に収納された一対の給電用接触子（図示せず）を備えている。なお、給電用ソケット８の説明では、図７（ａ）に示す向きにおいて上下左右の方向を規定し、図７（ｃ）の左側を前方、右側を後方として説明を行う。
【００３５】
給電用ソケット本体８１は絶縁性を有する合成樹脂製の筐体であり、後面部が後面板８５で塞がれている。給電用ソケット本体８１の前面には丸穴状に開口部８３が開口し、その開口部８３に、回転子８２が本体８１に対して回転自在に収納されている。なお、回転子８２の前面と本体８１の前面は略同じ位置（略同一平面上）にある。本体８１の上面の中央部には前方に切り欠かれた挿入溝８４が開口部８３と連通して形成されている。
【００３６】
回転子８２は絶縁性を有する合成樹脂で形成されており、直径方向に挿入溝８２ａが設けられている。回転子８２が図７(ａ)に示す位置に回転した状態では、挿入溝８４を通して回転子８２の挿入溝８２ａ内に一対の給電用口金ピン１３ａ、１３ａを挿入したり、図７（ａ）において上方へ外すことが可能である。一方、図７（ａ）に示す位置から回転子８２を９０度回転させると、挿入溝８２ａが水平方向に並び、挿入溝８２ａ内に給電用口金ピン１３ａ、１３ａが保持される。回転子８２と給電用接触子(図示せず)とで、給電用口金１３が装着される給電用口金受け部が構成される。
【００３７】
次に、直管形ＬＥＤランプ１を給電用ソケット４、８に着脱する方法について説明する。
【００３８】
直管形ＬＥＤランプ１を給電用ソケット４、８に装着する際には、給電用口金１２を給電用ソケット４側、もう一方の給電用口金１３を給電用ソケット８側にして、直管形ＬＥＤランプ１を給電用ソケット４、８に近付ける。そして、給電用ソケット４の案内溝４７内に案内片４２ｄを乗越えて、給電用口金ピン１２ａ、１２ａを挿入させるとともに、もう一方の給電用ソケット８の挿入溝８４内に、給電用口金ピン１３ａ、１３ａを挿入させる。直管形ＬＥＤランプ１を正規の挿入位置まで挿入すると給電用口金ピン１２ａ、１２ａが給電用接触子４２が備える保持片４２ｃ、４２ｃの間に挿入された状態になり、給電用口金ピン１３ａ、１３ａが案内溝８２ａに挿入された状態になる。この状態で、光源であるＬＥＤが床面を向くようにカバー１１を９０度回転させると、給電用口金ピン１２ａ、１２ａが左右方向と平行する位置まで回転することによって、給電用口金ピン１２ａ、１２ａの左右に位置する保持片４２ｃ、４２ｃに保持される。このとき、保持片４２ｃ、４２ｃは外側に撓められるため内側に弾性力が発生し、給電用口金ピン１２ａ、１２ａがその弾性力により保持片４２ｃ、４２ｃに保持される。同時に、回転子８２がカバー１１と共に回転し、給電用口金ピン１３ａ、１３ａが水平方向に配置される。このとき、給電用口金ピン１３ａ、１３ａは、ソケット本体８１の内部に配置されている給電用接触子に電気的に接続される。さらに、図６（ｄ）に示すように、給電用口金１２に設けられた磁石固定部１４ａに固定された磁石１４が給電用ソケット４内に保持されたリードスイッチ４３と近接した状態となり、磁石１４から発生する磁力によりリードスイッチ４３が閉じた状態となり、ＬＥＤ基板に配置したＬＥＤを点灯させる電源基板が、交流電源に電気的に接続されＬＥＤが点灯する。
【００３９】
一方、直管形ＬＥＤランプ１を給電用ソケット４、８から取外す際に、カバー１１を装着状態から９０度回転させると、案内溝４７への挿入方向と平行になり、給電ピン１２ａ、１２ａが保持片４２ｃ、４２ｃの保持から外れ電気的にも接続が外れ案内溝４７の外側へ移動させることができる。同時にもう一方の給電用ソケット８に嵌合していた給電用口金ピン１３ａ、１３ａも給電用接触子との嵌合が解除され、案内溝８４への挿入方向と平行になるため給電用口金ピン１３ａ、１３ａを給電用ソケット８の外側へ移動することができ、直管形ＬＥＤランプ１の取外しが完了する。
【００４０】
以上のように、直管形ＬＥＤランプ１および直管形ＬＥＤランプ１が接続される給電用ソケット４を用いることにより、直管形蛍光ランプおよびこの直管形蛍光ランプが接続されるソケットとの互換性をなくし、互いに誤って装着してしまうのを確実に防止することができる。
【００４１】
（実施形態２）
図８（ａ）は実施形態２の配線図であり、両側のソケットから給電を行う両側給電方式である。ソケット６、６に交流電源が接続され、直管形ＬＥＤランプ２の両端に設けられた口金２３から突設する一対の口金ピン２３ａ、２３ａは口金２３の内部で電気的に接続されている。電気的に接続された直管形ＬＥＤランプ２の両端の一対の口金ピン２３ａ、２３ａはプッシュスイッチ５３を介し交流電源に接続されている。図９、図１０に示すように、プッシュスイッチ５３は照明器具５の上板５１に取付けられている。すなわち、プッシュスイッチ５３は照明器具５の上板５１に設けた開口部５４からレバー５３ａ（作動レバー）を突出させ、プッシュスイッチ５３側の取付穴５５ｂ、５５ｂと上板５１側の取付穴５５ａ、５５ａにビス５５及びナット５６によって固定される。
【００４２】
また、図９に示すように、直管形ＬＥＤランプ２に設けた取付穴２４には凹部カバー２５が嵌め込まれ、凹部カバー２５側の取付穴２６ａ、２６ａとカバー２１側の取付穴２６ｂ、２６ｂにセルフタッピングビス２６によって固定される。
【００４３】
図８（ｂ）から（ｄ）に、上述のプッシュスイッチ５３を設けた照明器具５に適合した直管形ＬＥＤランプと不適合の直管形ＬＥＤランプを装着した場合の、プッシュスイッチ５３のレバー５３ａの作動について示す。図８（ｂ）は、直管形ＬＥＤランプが未装着の状態でレバー５３ａは延出している。このとき、プッシュスイッチ５３は閉じた状態であり照明器具５の両側に取付けられたソケット６、６に給電されている。図８（ｃ）は照明器具５に不適合の直管形ＬＥＤランプ２’を装着した場合で、レバー５３ａが直管形ＬＥＤランプ２’のカバー２１’と干渉してプッシュスイッチ５３の内部に入り込みスイッチ５３が開いた状態となり、ソケット６、６には給電されない。図８（ｄ）は照明器具５に適合する直管形ＬＥＤランプ２を装着した場合で、直管形ＬＥＤランプ２のカバー２１に設けた凹部材２５にレバー５３ａが延出した状態で入り込み、図８（ａ）と同様にスイッチ５３が閉じた状態となり、ソケット６、６に給電される。したがって、照明器具５に設けたプッシュスイッチ５３に対応する直管形ＬＥＤランプのみ点灯可能となる。
【００４４】
図９に示すように、プッシュスイッチ５３は照明器具５の上板５１に設けた開口部５４からレバー５３ａを突出させ、プッシュスイッチ５３側の取付穴５５ｂ、５５ｂと上板５１側の取付穴５５ａ、５５ａにビス５５及びナット５６によって固定される。
【００４５】
また、図９に示すように、凹部カバー２５は直管形ＬＥＤランプ２に設けた取付穴２４に嵌め込み、凹部カバー２５側の取付穴２６ａ、２６ａとカバー２１側の取付穴２６ｂ、２６ｂにセルフタッピングビス２６によって固定される。
【００４６】
直管形ＬＥＤランプ２を照明器具５に装着する際には、直管形ＬＥＤランプ２の両端の口金２３ａ、２３ａに突設された両側の一対の口金ピン２３ａ、２３ａを照明器具５の両端に配置したソケット６、６の案内溝に平行に挿入し、光源であるＬＥＤが床面を向くようにカバー２１を９０度回転させると、両側の一対の口金ピン２３ａ、２３ａがソケット６、６に保持され、同時に電気的に接続される。尚、両端のソケット６、６は、実施形態１に示された給電用ソケット４と同様の部品構成である。
プッシュスイッチ５３のレバー５３ａは、装着開始時はカバー２１に干渉しレバー５３ａがプッシュスイッチ５３の内部に入り込みスイッチが開いた状態となるが、カバー２１を９０度回転させると、レバー５３ａが凹部カバー２５の空間に入ると延出しスイッチが閉じた状態となり、ＬＥＤ基板に配置したＬＥＤを点灯させる電源基板が、交流電源に電気的に接続されＬＥＤが点灯する。
【００４７】
以上のように、直管形ＬＥＤランプ２および直管形ＬＥＤランプ２が装着される照明器具５を用いることにより、直管形蛍光ランプおよびこの直管形蛍光ランプが接続されるソケットとの互換性をなくし、互いに誤って装着してしまうのを確実に防止することができる。
【００４８】
（実施形態３）
図１１に直管形ＬＥＤランプ３の外観斜視図を示す。直管形ＬＥＤランプ３は、透光性を有する合成樹脂材料により直管状に形成されたカバー３１を備えている。カバー３１の軸方向の両端には口金３２、３２が設けられている。
【００４９】
カバー３１の内部には、複数のＬＥＤを実装したＬＥＤ基板（図示せず）が収納されている。
【００５０】
図１２（ｂ）は口金３２を拡大した要部の斜視図であり、口金３２の端面の中心部から、直管形ＬＥＤランプ３の軸方向に向かって突出する一対の口金ピン３２ａ、３２ａが設けられている。口金ピン３２ａは、金属等の剛性の高い材料で円筒形に形成される。一対の口金ピン３２ａ、３２ａ間の間隔Ｗは、ＪＩＳＣ７７０９−１に規定されているＧ１３形口金の一対の口金ピン間の間隔より狭く設定されている。
【００５１】
ソケット７は、図１３に示すように本体７１と本体７１に回転自在に取付けられた回転子７２と、本体７１内に収納された一対の給電用接触子７３、７３を備えている。
なお、ソケット７の説明では、図１４（ａ）に示す向きにおいて上下左右の方向を規定し、図１４（ｂ）の左側を前方、右側を後方として説明を行う。
【００５２】
本体７１は絶縁性を有する合成樹脂製の筐体であり、後面部が後面板７４で塞がれている。本体７１の前面には丸穴状に開口部７８が開口し、その開口部７８に回転子７２が本体７１に対して回転自在に収納されている。なお、回転子７２の前面と本体７１の前面は略同じ位置（略同一平面上）にある。本体７１の上面の中央部には前方に切り欠かれた案内溝７６が開口部７８と連通して形成されている。
【００５３】
回転子７２は絶縁性を有する合成樹脂製で、前面となる円盤部７２ａと、該円盤部７２ａと同軸の円筒部７２ｂを有している。円盤部７２ａの直径方向に案内溝７７が設けられており、円筒部７２ｂの外周面には、口金ピン３２ａ、３２ａが係入する一対又は複数対の溝部７２ｃ、７２ｃが形成されている。
【００５４】
一対の給電用接触子７３、７３はソケットの本体７１内の開口部７８を挟んで設けた一対の固定部７５、７５に、固定端部７５ａ、７５ａを軽圧入し保持される。給電用接触子７３、７３の保持片７３ｂ、７３ｂは弾力性を有しており、口金３２の口金ピン３２ａ、３２ａをソケット７の回転子７２の案内溝７７から挿入し、円筒部７２ｂ、７２ｂに係入させた状態で所定角度回転させたとき、円筒部７２ｂの口金ピン３２ａ、３２ａと給電用接触子７３、７３が接触するようになっている。
【００５５】
図１５（ａ）、（ｂ）は図１４に示されたＦ−Ｆ’線断面図であり、この図を用いて口金３２がソケット７に装着される状態について説明する。回転子７２が図１５(ａ)に示す位置にあるときは、案内溝７６を通して回転子７２の案内溝７７内に口金ピン３２ａを挿入したり、図１５（ａ）において上方へ外すことが可能である。一方、図１５（ａ）に示す位置から回転子７２を９０度回転させると、案内溝７７が水平方向に並び、案内溝７７内に口金ピン３２ａ、３２ａが保持される。このとき、一対の給電用接触子７３、７３の保持片７３ｂ、７３ｂが撓み回転子７２の円筒面とで口金ピン３２ａ、３２ａを挟持するとともに、口金ピン３２ａと交流電源とを電気的に接続する。
【００５６】
一方、口金ピンがＧ１３形口金の場合、図１５（ｃ）に示すように、Ｇ１３口金を回転子７２の案内溝７７に挿入したとしても、断面で表したＧ１３の口金ピン３２ｂ、３２ｂは、本発明の一対の口金ピン３２ａ、３２ａ間の間隔より広いため、ソケットの本体７１の上部の案内溝７６と開口部７８の連接部において干渉するため、回転子７２を９０度回転させることができないため、口金ピン３２ｂ、３２ｂが給電用接触子７３，７３まで到達できず交流電源と電気的な接続ができない。また、口金ピン３２ｂ、３２ｂは開口部７８内に保持されない。
【００５７】
以上のように、直管形ＬＥＤランプ３および直管形ＬＥＤランプ３が装着されるソケット７を用いることにより、Ｇ１３形口金を備えた直管形蛍光ランプおよびこの直管形蛍光ランプが接続されるソケットとの互換性をなくし、互いに誤って装着してしまうのを確実に防止することができる。なお、本発明では、図１１に示した一方のソケット７だけを上述した構成にしてもよい。
【符号の説明】
【００５８】
１、２、３      直管形ＬＥＤランプ
４              給電用ソケット
７              ソケット
１４            磁石
２５            凹部カバー
４３            リードスイッチ  
５３            プッシュスイッチ
【図１】
2014099329.tif 000003
【図２】
2014099329.tif 000004
【図３】
2014099329.tif 000005
【図４】
2014099329.tif 000006
【図５】
2014099329.tif 000007
【図６】
2014099329.tif 000008
【図７】
2014099329.tif 000009
【図８】
2014099329.tif 000010
【図９】
2014099329.tif 000011
【図１０】
2014099329.tif 000012
【図１１】
2014099329.tif 000013
【図１２】
2014099329.tif 000014
【図１３】
2014099329.tif 000015
【図１４】
2014099329.tif 000016
【図１５】
2014099329.tif 000017